(57)【要約】      （修正有）【課題】煙突および煙突内部の熱の吸収・放熱の効果を向上させ、それによって暖房装置の暖房効率を高める暖房装置用煙突を提供する。【解決手段】筒状煙突４の内面の長手方向に沿って平行に所定の間隔をおいて複数設けられ、かつそれぞれが内側方向に突出するように設けられて筒状煙突４の内部の熱を筒状煙突４とともに吸収する吸熱フィン５と、筒状煙突の外面の長手方向に沿って平行に所定の間隔をおいて複数設けられ、かつそれぞれが外側方向に突出するように設けられて筒状煙突の熱を筒状煙突とともに外部へ放熱する放熱フィン６と、を備えて、筒状煙突４および筒状煙突内部の熱の吸収・放熱の効果を向上させる。【選択図】図２
0003144021.tif 000002
【実用新案登録請求の範囲】
【請求項１】
暖房装置に連通して取り付けられ、所定の位置に設けられた開口部から排煙する筒状煙突を有する暖房装置用煙突であって、
前記筒状煙突の内面の長手方向に沿って平行に所定の間隔をおいて複数設けられ、かつそれぞれが内側方向に突出するように設けられて前記筒状煙突の内部の熱を前記筒状煙突とともに吸収する吸熱フィンと、
前記筒状煙突の外面の長手方向に沿って平行に所定の間隔をおいて複数設けられ、かつそれぞれが外側方向に突出するように設けられて前記筒状煙突の熱を前記筒状煙突とともに外部へ放熱する放熱フィンと、
を備えることを特徴とする暖房装置用煙突。
【請求項２】
前記吸熱フィンと前記放熱フィンとは、それぞれのフィンが交互に所定の間隔をおいて、前記筒状煙突の横断面の全周に渡って設けられている請求項１に記載の暖房装置用煙突。
【請求項３】
前記吸熱フィンと放熱フィンとの少なくとも一方を分離位置として周方向に分割形成された複数の煙突片から構成され、前記分離位置となる吸熱フィン又は放熱フィンは、各前記煙突片を連結するための連結部を形成している請求項２に記載の暖房装置用煙突。
【請求項４】
前記煙突片の吸熱フィン及び放熱フィンは、板状部材を長手方向に平行な折れ線に沿って折り曲げて形成され、
前記煙突片の周方向の両端部に形成された前記連結部は、一端側において、内側又は外側へ突出するオス型フィン部と、他端側において、前記オス型フィン部を受け入れて連結一体化するメス型フィン部とを有し、
いずれかの煙突片の前記オス型フィン部を隣接する他の煙突片の前記メス型フィン部に挿入することにより組み立てられている請求項３に記載の暖房装置用煙突。
【請求項５】
前記メス型フィン部は、前記オス型フィン部の突出する向きに折れ曲がった後、方向転換して元へ戻る方向転換部を形成している請求項４に記載の暖房装置用煙突。
【請求項６】
前記オス型フィン部とメス型フィン部とは、前記オス型フィン部を前記メス型フィン部に挿入後、溶接等の固定手段により連結一体化される請求項４又は５に記載の暖房装置用煙突。
【請求項７】
前記吸熱フィンと放熱フィンとは、周方向の共通位置から内外方向に突出する形態で、前記筒状煙突の横断面の全周に渡って設けられている請求項１に記載の暖房装置用煙突。
【請求項８】
前記吸熱フィン及び放熱フィンを分離位置として周方向に分割形成された複数の煙突片から構成され、前記分離位置となる吸熱フィン及び放熱フィンは各煙突片を連結するための連結部を形成している請求項７に記載の暖房装置用煙突。
【考案の詳細な説明】
【技術分野】
【０００１】
本考案は、暖房装置に取り付けられる暖房装置用煙突に関する。
【背景技術】
【０００２】
従来、特許文献１に開示されているように、薪、ガス、石油等を燃料とする暖房装置に取り付けられる煙突に対して、送風装置を活用することで煙突の余熱を扇ぐ吸熱式煙突が知られている。この吸熱式煙突は、既存の煙突に適合する様に歪曲に加工した煙突ガードカバーにシロコファン（壁掛け型クーラーに使用している送風扇）を装着させて送風装置とし、それを煙突に重ねるように装着させる。そして、燃料の燃焼よって発生した熱が排気ガスと同時に屋外に排出される前の箇所でこの装置を活用し、煙突の余熱を扇ぎ取ることで暖房効果を上げようとするものである。
【０００３】
しかしながら、上記従来の吸熱式の煙突は、煙突の余熱を扇ぎ取るシロコファンの動力が電動仕様であることから電源の確保が必要になっていた。また、暖房装置や煙突のサイズが大型のものに対しては、上記送風装置自体もそれに合わせて大型化するため、高価になることは避け得ない。さらに、送風時のシロコファンの回転やモータの駆動によって騒音が発生してしまう欠点がある。
【特許文献１】特開２００２−３９６２９号公報
【考案の開示】
【考案が解決しようとする課題】
【０００４】
本考案の課題は、送風装置等を用いることなく、煙突および煙突内部の熱の吸収・放熱の効果を向上させ、それによって暖房装置の暖房効率を高める暖房装置用煙突を提供することにある。
【課題を解決するための手段および考案の効果】
【０００５】
本考案は、暖房装置に連通して取り付けられ、所定の位置に設けられた開口部から排煙する筒状煙突を有する暖房装置用煙突であって、
筒状煙突の内面の長手方向に沿って平行に所定の間隔をおいて複数設けられ、かつそれぞれが内側方向に突出するように設けられて筒状煙突の内部の熱を筒状煙突とともに吸収する吸熱フィンと、
筒状煙突の外面の長手方向に沿って平行に所定の間隔をおいて複数設けられ、かつそれぞれが外側方向に突出するように設けられて筒状煙突の熱を筒状煙突とともに外部へ放熱する放熱フィンと、
を備えることを特徴とする。
【０００６】
このようにすれば、フィンを設けない従来の筒状煙突（以下、筒状煙突を煙突と記載）に比べて、煙突の内外面に設けられた吸熱フィン及び放熱フィンの分だけ煙突の表面積が拡大する。その結果、燃焼によって発生した煙突内部の熱や暖房装置からの熱が煙突に伝わる（伝熱）効果、つまり煙突における熱の吸収の効果を助長できる。また、その吸収した熱を放射する、いわゆる外部への放熱の効果も助長できる。しかも、吸熱・放熱の効果が向上すれば暖房効率の向上に繋がり、それに伴い燃料消費の軽減や暖房装置の寿命を伸ばすことにも繋がる。
【０００７】
また、煙突内部は、燃焼によって生じる煙に含まれる不純物（煤やタール等）が付着しやすく、それらが堆積して煙道を狭くしたり、煙突全体が高温になるため発火して、煙道火災が発生してしまう危険がある。そのため清掃を定期的に行って、煙突内部を不純物の少ない良好な状態に維持する必要がある。よって、煙突内外面の周方向に沿って平行にフィンが設けられていると清掃が困難であるが、本考案のように煙突内外面の長手方向に沿って平行に設けられていることで清掃が容易となり、上記のような危険が回避される。
【０００８】
また本考案は、吸熱フィンと放熱フィンとは、それぞれのフィンが交互に所定の間隔をおいて、筒状煙突の横断面の全周に渡って設けられている。
【０００９】
このようにすれば、吸熱フィンと放熱フィンとを、所定の位置にのみ設けた場合例えば、煙突の横断面の半周にのみ設けた場合等に比べ、煙突の横断面の全周に渡って設けることで、煙突における熱の吸収・放熱の効果を向上させることができる。
【００１０】
また本考案は、吸熱フィンと放熱フィンとの少なくとも一方を分離位置として周方向に分割形成された複数の煙突片から構成され、分離位置となる吸熱フィン又は放熱フィンは、各煙突片を連結するための連結部を形成している。
【００１１】
このようにすれば、金属形成の面において、引抜加工等で筒状を形成するよりも容易であり、連結時に連結部が吸熱フィン又は放熱フィンとなるため無駄がない。
【００１２】
また本考案は、煙突片の吸熱フィン及び放熱フィンは、板状部材を長手方向に平行な折れ線に沿って折り曲げて形成され、
煙突片の周方向の両端部に形成された連結部は、一端側において、内側又は外側へ突出するオス型フィン部と、他端側において、オス型フィン部を受け入れて連結一体化するメス型フィン部とを有し、
いずれかの煙突片のオス型フィン部を隣接する他の煙突片のメス型フィン部に挿入することにより組み立てられている。
【００１３】
さらに本考案は、メス型フィン部は、オス型フィン部の突出する向きに折れ曲がった後、方向転換して元へ戻る方向転換部を形成している。
【００１４】
このようにすれば、連結時に煙突片同士の一体性を高めることができるとともに、周方向に対しての位置決めがなされる。また、煙突片は板状部材を折り曲げて形成されているため、引抜加工等に比べ煙突片の形成が容易である。
【００１５】
また本考案は、オス型フィン部とメス型フィン部とは、オス型フィン部をメス型フィン部に挿入後、溶接等の固定手段により連結一体化される。
【００１６】
これにより、オス型フィン部とメス型フィン部とは、連結状態の維持が可能となる。
【００１７】
吸熱フィンと放熱フィンとは、周方向の共通位置から内外方向に突出する形態で、筒状煙突の横断面の全周に渡って設けられている。
【００１８】
このようにすれば、それぞれのフィンを交互に所定の間隔をおいて設けられた場合と同様の効果が得られるとともに、煙突の横断面において、周方向の共通位置から内外方向に突出しているため、製造工程においてそれぞれのフィンを形成するのが容易になりその結果、製造コスト削減にも繋がる。
【考案を実施するための最良の形態】
【００１９】
以下、本考案の実施例を図面に基づいて説明する。
【００２０】
（実施例１）
図１は、本考案の暖房装置用煙突１を暖房装置２に取り付けた状態を示すもので、この暖房装置用煙突１は、例えば薪ストーブ等の暖房装置２に連通して取り付けられ、開口部３から排煙する筒状煙突の本体部４を有している。
【００２１】
図２は、図１の暖房装置用煙突１の一実施例を示す斜視図であり、図３は、図２の平面図を示すものである。暖房装置用煙突１は、円筒状の本体部４と吸熱フィン５と放熱フィン６とで構成されている。具体的には、吸熱フィン５は、円筒状の本体部４に対して、本体部４の内面の長手方向に沿って平行に、それぞれ４５度の等間隔をおいて８本設けられており、先端が本体部４の内側方向に突出している。そして、放熱フィン６は、本体部４の外面の長手方向に沿って平行に、それぞれ４５度の間隔をおいて８本設けられており、先端が本体部４の外側方向に突出している。また、吸熱フィン５と放熱フィン６とは、それぞれのフィンが交互に設けられている。
【００２２】
以上のように、本体部４の内外面にそれぞれ８本ずつの吸熱フィン５、放熱フィン６が設けられる。これにより、燃焼によって発生した本体４内部の熱や本体４自体に蓄えられた熱を、本体部４と両フィンとで、吸熱・放熱することができる。要するに、従来のフィンを設けない同一の寸法の煙突よりも、フィンが設けられた分だけ本体部４の内外面の表面積が拡大したことになる。その結果、熱の吸収・放熱の効果が助長され、暖房効率の向上に繋げることができる。
【００２３】
また、図２及び図３に示すように、この実施例では、それぞれのフィンの長さ、厚みの寸法は同一である。しかし、寸法を同一にさせる必要はなく、例えば放熱フィン６を長くさせて、吸熱フィン５を短くさせることも可能である。このようにすれば、短い吸熱フィンによって排煙を妨げることなく、熱の吸収・放熱の効果を向上させることができる。また、両フィンは８本ずつで構成されているが、それ以上もしくはそれ以下の数で構成されていてもよい。例えば、両フィンが１０本や６本ずつで構成されることも可能である。両フィンを増加させると、上記のように、暖房装置用煙突１の表面積も増加し、熱の吸収・放熱の効果は向上する。しかし、構成される両フィンが減少すると、暖房装置用煙突１の表面積も減少し、熱の吸収・放熱の効果は低下してしまう。その場合は、両フィンの長さ、厚み等で調節することで、表面積の減少を補うことができる。
【００２４】
なお、本考案の暖房装置用煙突１は、例えば金属成形の引抜加工によって製造され、一般的に暖房装置用煙突１及び吸熱フィン５、放熱フィン６の材質は例えば、耐熱性の高い鋼板等が用いられる。その他にもステンレス等が用いられる場合もあり、暖房装置の使用環境、コスト等により適当な材質が選定される。また、それぞれのフィンを本体部４と別に形成しておいて、溶接等によってフィンを取り付ける場合は、本体部４、吸熱フィン５、放熱フィン６のそれぞれの材質は同一のものを用いてもよいし、他の材質のものでも構わない。
【００２５】
（実施例１の変形例）
図４は、図１〜図３に示される暖房装置用煙突１の分割形成の例を示しており、放熱フィン６を分離位置として周方向に分割形成された２つの煙突片７から構成され、そのうちの１つが図示されている。分離位置となる放熱フィン６は、各煙突片７を連結するための連結部として、分割放熱フィン６ａ、６ｂを形成している。また、図１ないし図３に示されるのと同様に吸熱フィン５を有している。
【００２６】
そして、図５に示すように、分割形成された２つの煙突片７を合体させることで暖房装置用煙突１が構成される。具体的には、分割放熱フィン６ａ、６ｂがそれぞれ、ねじ止めや溶接等の手段により連結されて、煙突片７同士が合体される。このようにすれば、同一の煙突片７を任意の数だけ形成しておいてそれぞれを合体させればよいので、図２のように円筒状に暖房装置用煙突１を形成するよりも金属形成の面において容易である。
【００２７】
また、図４および図５では、２つの煙突片７から構成される例を示したが、２つに限定されるものではなく、例えば４つや８つに分割形成されてもよい。その場合も同様に、分離位置となる放熱フィン６がそれぞれ分割放熱フィン６ａ、６ｂを形成し、それらが連結されることによって、煙突片７が合体されて、図２のような暖房装置用煙突１が構成される。なお、吸熱フィン５を分離位置とすることも可能である。
【００２８】
図６は、図３に示した暖房装置用煙突１において、両フィンが設けられる位置の別の例を示している。吸熱フィン５と放熱フィン６とは、本体部４の横断面において、周方向の共通位置から内外方向に突出する形態で、本体部４の横断面の全周に渡って設けられている。具体的には、周方向に４５度の角度で、内側方向に吸熱フィン５と、外方向に放熱フィン６とがそれぞれ８本ずつ設けられている。このようにすれば、図３に示す例と同様の熱の吸収・放熱の効果が得られるとともに、本体部４の横断面の同位置に両フィンがそれぞれ形成されているため製造工程において、図３および図４で示す例と比べても容易になる。
【００２９】
図７は、図６の暖房装置用煙突１が２つの煙突片７から構成される分割形成の例を示しており、図４および図５に示した例と同様に、吸熱フィン５と放熱フィン６とを有し、各煙突片７を連結するための連結部として分割放熱フィン６ａ、６ｂを形成している。さらに分割吸熱フィン５ａ、５ｂを形成している。そして、分割吸熱フィン５ａ、５ｂと分割放熱フィン６ａ、６ｂそれぞれが、ねじ止めや溶接等の手段により連結されて、煙突片７同士が合体される。
【００３０】
以下、本考案の他の実施例を図面に基づいて説明する。
【００３１】
（実施例２）
図８は、煙突片としての折り曲げ煙突片１７を示す斜視図、図９は、２つの折り曲げ煙突片１７を組み合わせた状態を示す平面図、図１０は、折り曲げ煙突片１７により構成された暖房装置用煙突１の平面図である。この実施例では、暖房装置用煙突１が、８つの折り曲げ煙突片１７により分割形成される例を示すものである。
【００３２】
図８に示すように、折り曲げ煙突片１７は、１枚の板状部材、例えば鋼板等を長手方向に平行な折れ線に沿って、プレス加工等により折り曲げて形成された第一吸熱フィン（オス型フィン部）１５ａと、第二吸熱フィン（メス型フィン部）１５ｂと、折り曲げ放熱フィン１６とをそれぞれ１つずつ有している。具体的には、折り曲げ煙突片１７の周方向の左端側において、折り曲げ煙突片１７の左端を長手方向に平行な折れ線に沿って内側へ折り曲げて、突出するように第一吸熱フィン（オス型フィン部）１５ａが形成される。そして、折り曲げ煙突片１７の周方向の右端側において、まず折り曲げ煙突片１７の右端を長手方向に平行な折れ線に沿って内側へ折り曲げて、次に右端方向へ直角に折り曲げて直線部２４を形成する。さらに、方向転換して直線部２４と平行になるように直角に折り返して方向転換部２２が形成されて、第二吸熱フィン（メス型フィン部）１５ｂが形成される。なお、第二吸熱フィン（メス型フィン部）１５ｂが形成されることによって、第一吸熱フィン（オス型フィン部）１５ａを受け入れて連結一体化するための挿入部２３が形成される。また、折り曲げ放熱フィン１６は、折り曲げ煙突片１７の中間位置を基点にして直角に外側へ折り曲げた後、方向転換して外面方向転換部２０を形成し、元へ戻るように折り曲げられて形成される。この際、折り曲げ放熱フィン１６の内方向に、折り曲げ放熱フィン中空部２１が形成されて、表面積拡大の効果を得ることができる。
【００３３】
そして、図９に示すように、折り曲げ煙突片１７の第一吸熱フィン（オス型フィン部）１５ａを、もう１つ別の折り曲げ煙突片１７の第二吸熱フィン（メス型フィン部）１５ｂにより形成された挿入部２３へ挿入することにより、周方向への位置決めがなされ、折り曲げ煙突片１７同士が連結される。その他の部分は、図８と共通であるため同一の符号を付して説明を省略する。
【００３４】
さらに、図１０に示すように、８つの折り曲げ煙突片１７が上記のように組み合わせられて、互いの固定手段としてスポット溶接等（他にねじ止め、リベット締め等でもよい）によりスポット溶接部２５を形成し、連結一体化されて円筒状の暖房装置用煙突１が構成される。その他の部分は、図８及び図９と共通であるため同一の符号を付して説明を省略する。
【００３５】
図１１は、図８〜図１０の暖房装置用煙突１の変形例を示しており、図８及び図９の第一吸熱フィン（オス型フィン部）１５ａ、第二吸熱フィン（メス型フィン部）１５ｂが、折り曲げ煙突片１７の両端において、互いに逆の位置に、図８〜図１０の例と反転させた形状となるように形成された折り曲げ煙突片１７を組み合わせたものである。同様にスポット溶接等によりスポット溶接部２５を形成し、連結一体化される。なお、折り曲げ吸熱フィン１５、折り曲げ放熱フィン１６はそれぞれ１２本ずつ設けられている。
【００３６】
また、図８〜図１１に示すように、折り曲げ吸熱フィン１５および折り曲げ放熱フィン１６は、ともに同一の厚みで形成されている。しかし、この例では、煙突片１７およびそれぞれのフィンは、１枚の板状部材（例えば鋼板等）を折り曲げて形成されているため、第一吸熱フィン（オス型フィン部）１５ａを厚くしたり、薄くすることが可能である。従って、折り曲げ吸熱フィン１５と折り曲げ放熱フィン１６とは、同一の厚みで形成されている必要はなく、また、折り曲げ煙突片１７上に２本以上の折り曲げ放熱フィン１６が形成されていてもよい。さらに、この実施例では、折り曲げ吸熱フィン１５を連結部として、第一吸熱フィン（オス型フィン部）１５ａ、第二吸熱フィン（メス型フィン部）１５ｂを形成したが、折り曲げ放熱フィン１６においても同様に連結部としてオス型フィン部、メス型フィン部を形成させてもよい。
【００３７】
以上に説明した図１に示すような暖房装置用煙突１は、あくまで一例であり、暖房装置用煙突１の本体部４の湾曲の有無や開口部３の形状は用途に合わせ適宜変更できるものとし、例えば、いずれも図示しないが、暖房装置用煙突１を屋外に露出させて使用する場合は、本体部４を複数箇所で湾曲させて開口部３を屋外まで導いたり、雪の多い地方では、開口部３から雪の侵入を防ぐため角煙突と呼ばれる開口部３がＴ字状になるように形成されたものでも構わない。ただし、いずれの場合も同様に、図２および図３等に示すように、吸熱フィン５、放熱フィン６が本体部４の内外面に設けられて上記と同一の効果が得られる。
【図面の簡単な説明】
【００３８】
【図１】本考案の暖房装置用煙突を暖房装置に取り付けた状態を示す全体の斜視図。
【図２】図１に示す暖房装置用煙突の一実施例を示す斜視図。
【図３】図２の平面図。
【図４】暖房装置用煙突を２つに分割形成した一方の煙突片を示す斜視図。
【図５】図４の煙突片を組み合わせた平面図。
【図６】図３に示す暖房装置用煙突の変形例を示す平面図。
【図７】図６に示す暖房装置用煙突を分割形成して煙突片を組み合わせた例を示す平面図。
【図８】図１に示す暖房装置用煙突の他の実施例の主要部である煙突片を示す斜視図。
【図９】図８に示す煙突片を組み合わせた平面図。
【図１０】図８に示す煙突片を８つ組み合わせて構成される暖房装置用煙突の平面図。
【図１１】図８〜図１０の変形例を示す平面図。
【符号の説明】
【００３９】
１  暖房装置用煙突
２  暖房装置
３  開口部
４  本体部（筒状煙突）
５  吸熱フィン
５ａ、５ｂ  分割吸熱フィン（連結部）
６  放熱フィン
６ａ、６ｂ  分割放熱フィン（連結部）
７  煙突片
１５  折り曲げ吸熱フィン（吸熱フィン）
１５ａ  第一吸熱フィン（オス型フィン部；連結部）
１５ｂ  第二吸熱フィン（メス型フィン部；連結部）
１６  折り曲げ放熱フィン（放熱フィン）
１７  折り曲げ煙突片（煙突片）
２０  外面方向転換部
２１  折り曲げ放熱フィン中空部
２２  内面方向転換部（方向転換部）
２３  挿入部
２４  直線部
２５  スポット溶接部（固定手段）
【図１】
0003144021.tif 000003
【図２】
0003144021.tif 000004
【図３】
0003144021.tif 000005
【図４】
0003144021.tif 000006
【図５】
0003144021.tif 000007
【図６】
0003144021.tif 000008
【図７】
0003144021.tif 000009
【図８】
0003144021.tif 000010
【図９】
0003144021.tif 000011
【図１０】
0003144021.tif 000012
【図１１】
0003144021.tif 000013